【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
長手方向軸線を規定するとともに、工具アタッチメントへの挿入用に構成された第１の部分および前記工具アタッチメントの外側に留まるように構成された第２の部分を備える駆動要素と、
前記工具アタッチメントと前記駆動要素との間の係合力を変更する機構とを備え、該機構が、
前記長手方向軸線に対して斜めに角度をもった第１の方向に沿って、前記第１の部分内で少なくとも部分的に動くことができ、前記工具アタッチメントに選択的に係合および係合解除する係合要素と、
前記駆動要素に対し、前記第１の方向よりも前記長手方向軸線に対してゆるい角度の傾斜をもった第２の方向に沿って少なくとも部分的に可動とされた作動要素であって、その少なくとも一部が外部からアクセス可能とされた作動要素とを備え、
該作動要素が、前記駆動要素内で、少なくともいくつかの位置において前記係合要素と連結するようにした、工具アタッチメントを着脱自在に取り付ける工具。
【請求項２】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に対して直角でない方向に沿って、前記第２のガイドによって少なくとも部分的に誘導される作動要素であって、その少なくとも一部が外部からアクセス可能とされた作動要素とを備え、
該作動要素および前記係合要素は、該作動要素を前記係合要素に係合させる機能をもつカム面をそれぞれ備える、工具アタッチメントを着脱自在に取り付ける工具。
【請求項３】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に平行に対して直角でない１つの方向に沿って、前記第２のガイドによって少なくとも部分的に誘導される作動要素であって、その少なくとも一部が外部からアクセス可能とされた作動要素とを備え、
該作動要素が、前記駆動要素内で、前記係合要素の少なくともいくつかの位置において前記係合要素と連結するようにした、工具アタッチメントを着脱自在に取り付ける工具。
【請求項４】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に平行に対して直角でない１つの方向に沿って、前記第２のガイドによって少なくとも部分的に誘導される作動要素であって、その少なくとも一部が外部からアクセス可能とされた作動要素とを備え、
前記第１のガイドが前記駆動要素内で前記第２のガイドと交差している、工具アタッチメントを着脱自在に取り付ける工具。
訂正理由は、請求項２の訂正と同じです。
【請求項５】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に平行に対して直角でない１つの方向に沿って、前記第２のガイドによって少なくとも部分的に誘導される作動要素であって、その少なくとも一部が外部からアクセス可能とされた作動要素とを備え、
前記係合要素が前記第２のガイドに隣接する位置に動くことができる、工具アタッチメントを着脱自在に取り付ける工具。
【請求項６】
長手方向軸線を規定するとともに、前記工具アタッチメントへの挿入用に構成された第１の部分および前記工具アタッチメントの外側に留まるように構成された第２の部分を備える駆動要素と、
前記工具アタッチメントと前記駆動要素との間の係合力を変更する機構とを備え、該機構が、
前記第１の部分内に少なくとも部分的に可動式に位置決めされ、前記工具アタッチメントを選択的に係合および係合解除する係合要素と、
前記係合要素と連結した作動要素と、
前記係合要素と係合するとともにこれを係合位置に向かって付勢する第１の付勢要素と、
前記係合要素と係合するとともにこれを解放位置に向かって付勢する第２の付勢要素とを備え、
前記第１の付勢要素の少なくとも一部分が前記駆動要素内に延びており、
前記第２の付勢要素の少なくとも一部分が前記駆動要素内に延びている、工具アタッチメントを着脱自在に取り付ける工具。
【請求項７】
駆動要素と、
工具アタッチメントと前記駆動要素との間の係合力を変更する機構とを備え、該機構が、
前記駆動要素によって可動式に担持され、前記工具アタッチメントを選択的に係合および係合解除する係合要素と、
前記係合要素と連結した作動要素と、
前記係合要素に付勢して前記工具アタッチメントと係合させるとともに、前記作動要素に外部の力が加えられていない場合は、これに付勢して前記工具アタッチメントと前記係合要素を係合させる位置に向けるように機能する付勢要素とを備え、該付勢要素の少なくとも大部分が前記駆動要素内に配置されている、工具アタッチメントを着脱自在に取り付ける工具。
【請求項８】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記駆動要素によって可動式に担持され、前記工具アタッチメントを選択的に係合および係合解除する係合要素と、
前記係合要素と連結した作動要素と、
前記係合要素および前記作動要素のうちの少なくとも一方と、前記第２の部分内で接し、前記係合要素に付勢して前記工具アタッチメントと係合させるとともに、前記作動要素に外部の力が加えられていない場合は、これに付勢して前記工具アタッチメントと前記係合要素を係合させる位置に向けるように機能する付勢要素とを備える、工具アタッチメントを着脱自在に取り付ける工具。
【請求項９】
長手方向軸線を規定するとともに、前記工具アタッチメントへの挿入用に構成された第１の部分および前記工具アタッチメントの外側に留まるように構成された第２の部分を備える駆動要素と、
前記工具アタッチメントと前記駆動要素との間の係合力を変更する機構とを備え、該機構が、
前記駆動要素によって可動式に担持され、前記工具アタッチメントを選択的に係合および係合解除する係合要素と、
前記第２の部分の周囲に配置されたカラーを有し、前記係合要素と連結する作動要素とを備え、
前記第１の部分が、距離Ｄ２によって隔てられた２つの端面を備え、前記カラーの最大外径が、Ｄ２の１．７０倍以下である、工具アタッチメントを着脱自在に取り付ける工具。
【請求項１０】
長手方向軸線を規定するとともに、前記工具アタッチメントへの挿入用に構成された第１の部分および前記工具アタッチメントの外側に留まるように構成された第２の部分を備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記第２の部分の周囲に配置されたカラーを有し、前記係合要素と連結する作動要素とを備え、
前記第１の部分が、距離Ｄ２によって隔てられた２つの端面を備え、前記カラーの最大外径が、Ｄ２の１．８１倍以下である、工具アタッチメントを着脱自在に取り付ける工具。
【請求項１１】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に平行に対して直角でない１つの方向に沿って、前記第２のガイドによって少なくとも部分的に誘導される作動要素と、
前記係合要素と連結し、解放位置に向かってこれに付勢する付勢要素とを備える、工具アタッチメントを着脱自在に取り付ける工具。
【請求項１２】
長手方向軸線を規定するとともに、工具アタッチメントへの挿入用に構成された第１の部分および前記工具アタッチメントの外側に留まるように構成された第２の部分を備え、前記第１の部分内に延びる第１のガイドと、前記第２の部分内に延びる第２のガイドとをさらに備える駆動要素と、
前記工具アタッチメントと前記駆動要素との間の係合力を変更する機構とを備え、該機構が、
前記長手方向軸線に対して斜めに角度をもった方向に沿って、前記第１のガイドによって少なくとも部分的に誘導され、前記工具アタッチメントを選択的に係合および係合解除する係合要素と、
前記長手方向軸線に平行に対して直角でない１つの方向に沿って、前記第２のガイドによって少なくとも部分的に誘導される作動要素であって、その少なくとも一部が外部からアクセス可能とされた作動要素とを備え、
該作動要素が前記第１のガイドと交差する位置に動くことができる、工具アタッチメントを着脱自在に取り付ける工具。
【請求項１３】
長手方向軸線を規定するとともに、前記工具アタッチメントへの挿入用に構成された第１の部分および前記工具アタッチメントの外側に留まるように構成された第２の部分を備え、さらに、前記第１の部分と前記第２の部分との間に延びる第１のガイドと、前記第２の部分内で延びる第２のガイドとを備える駆動要素と、
前記工具アタッチメントと前記駆動要素との間の係合力を変更する機構とを備え、該機構が、
前記第１のガイド内に少なくとも部分的に可動式に位置決めされ、前記工具アタッチメントを選択的に係合および係合解除する係合要素と、
前記係合要素と連結した作動要素とを備え、
該作動要素が、少なくとも部分的に前記第２のガイド内に位置決めされるとともに、前記長手方向軸線に平行に対して直角でない１つの方向に沿って、前記第２のガイドによって誘導される誘導要素を備え、
該誘導要素および前記係合要素は、該誘導要素を前記係合要素に係合させる機能をもつカム面をそれぞれ備える、工具アタッチメントを着脱自在に取り付ける工具。
【請求項１４】
長手方向軸線を規定するとともに、前記工具アタッチメントへの挿入用に構成された第１の部分および前記工具アタッチメントの外側に留まるように構成された第２の部分を備え、さらに、前記第１の部分と前記第２の部分との間に延びる第１のガイドと、前記第２の部分内で延びる第２のガイドとを備える駆動要素と、
前記工具アタッチメントと前記駆動要素との間の係合力を変更する機構とを備え、該機構が、
前記第１のガイド内に少なくとも部分的に可動式に位置決めされ、前記工具アタッチメントを選択的に係合および係合解除する係合要素と、
前記係合要素と連結した作動要素とを備え、
該作動要素が、前記駆動要素内で前記係合要素と接するように、前記第２のガイド内に少なくとも部分的に位置決めされ、前記長手方向軸線に対して直角でない１つの方向に沿って動くことができる誘導要素を備える、工具アタッチメントを着脱自在に取り付ける工具。
【請求項１５】
長手方向軸線を規定するとともに、前記工具アタッチメントへの挿入用に構成された第１の部分および前記工具アタッチメントの外側に留まるように構成された第２の部分を備え、さらに、前記第１の部分と前記第２の部分との間に延びる第１のガイドと、前記第２の部分内で延びる第２のガイドとを備える駆動要素と、
前記工具アタッチメントと前記駆動要素との間の係合力を変更する機構とを備え、該機構が、
前記第１のガイド内に少なくとも部分的に可動式に位置決めされ、前記工具アタッチメントを選択的に係合および係合解除する係合要素と、
前記係合要素と連結した作動要素とを備え、
該作動要素が、前記第２のガイド内に少なくとも部分的に位置決めされるとともに前記長手方向軸線に対して直角でない１つの方向に沿って動くことができる誘導要素を備え、
前記第１のガイドが前記駆動要素内で前記第２のガイドと交差する、工具アタッチメントを着脱自在に取り付ける工具。
【請求項１６】
長手方向軸線を規定するとともに、前記工具アタッチメントへの挿入用に構成された第１の部分および前記工具アタッチメントの外側に留まるように構成された第２の部分を備え、さらに、前記第１の部分と前記第２の部分との間に延びる第１のガイドと、前記第２の部分内で延びる第２のガイドとを備える駆動要素と、
前記工具アタッチメントと前記駆動要素との間の係合力を変更する機構とを備え、該機構が、
前記第１のガイド内に少なくとも部分的に可動式に位置決めされ、前記工具アタッチメントを選択的に係合および係合解除する係合要素と、
前記係合要素と連結した作動要素とを備え、
該作動要素が、前記第２のガイド内に少なくとも部分的に位置決めされるとともに前記長手方向軸線に対して直角でない１つの方向に沿って動くことができる誘導要素を備え、
前記係合要素が前記第２のガイドに隣接する位置に動くことができる、工具アタッチメントを着脱自在に取り付ける工具。
【請求項１７】
長手方向軸線を規定するとともに、前記工具アタッチメントへの挿入用に構成された第１の部分および前記工具アタッチメントの外側に留まるように構成された第２の部分を備える駆動要素と、
前記工具アタッチメントと前記駆動要素との間の係合力を変更する機構とを備え、該機構が、
前記第１の部分内に少なくとも部分的に可動式に位置決めされ、前記工具アタッチメントを選択的に係合および係合解除する係合要素と、
前記係合要素に連結され、前記駆動要素に対して、前記長手方向軸線に対して直角でない１つの方向に沿って動くことができる誘導要素を備える作動要素と、
前記係合要素に連結され、これを係合位置に向かって付勢する第１の付勢要素と、
前記係合要素に連結され、これを解放位置に向かって付勢する第２の付勢要素とを備え、
前記第１の付勢要素の少なくとも一部分が前記駆動要素内に延びており、
前記第２の付勢要素の少なくとも一部分が前記駆動要素内に延びている、工具アタッチメントを着脱自在に取り付ける工具。
【請求項１８】
前記機構が、前記係合要素に連結されるとともに前記係合要素を係合位置に向かって付勢する付勢要素をさらに備える請求項１、２、３、４、５、９、１０または１２に記載の発明。
【請求項１９】
前記機構が、前記係合要素に連結されるとともにこれを解放位置に向かって付勢する付勢要素をさらに備える請求項１、２、３、４、５、９、１０または１２に記載の発明。
【請求項２０】
前記第１の付勢要素の少なくとも半分および前記第２の付勢要素の少なくとも半分が、前記駆動要素内に配置されている請求項６または１７に記載の発明。
【請求項２１】
前記第１および第２の付勢要素が、実質的に全体的に前記駆動要素内に配置されている請求項６または１７に記載の発明。
【請求項２２】
前記付勢要素が、実質的に全体的に前記駆動要素内に配置されている請求項７または１１に記載の発明。
【請求項２３】
前記作動要素が、前記駆動要素の外側で前記係合要素に連結されている請求項２、４、５、６、７、８、９、１０、１１または１２に記載の発明。
【請求項２４】
前記駆動要素が、第１の横寸法により特徴付けられる大きい部分と、前記第１の横寸法より小さい第２の横寸法により特徴付けられる小さい部分とを備えるとともに、前記作動要素が、前記小径部分を取り囲むとともに隣接する環状体積部内に延び、前記体積部が前記第１の横寸法に等しい最大寸法と前記第２の横寸法に等しい最小寸法とを有する請求項１、２、３、４、５、６、７、８、９、１０、１１または１２に記載の発明。
【請求項２５】
前記大きい部分および小さい部分が、前記駆動要素の長手方向軸線に沿って互いに隣接している請求項２４に記載の発明。
【請求項２６】
前記作動要素が、前記駆動要素に対して回転可能であるカラーを備える請求項１、２、３、４、５、６、７、８、１１または１２に記載の発明。
【請求項２７】
前記作動要素が、前記駆動要素に対して自在に回転可能ではないカラーを備える請求項１、２、３、４、５、６、７、８、１１または１２に記載の発明。
【請求項２８】
前記第２のガイドが、前記第１の部分に隣接する位置まで延びている請求項２、３、４、５、１１、１２、１３、１４、１５または１６に記載の発明。
【請求項２９】
前記第２のガイドが、前記第１のガイドに隣接する位置まで延びている請求項２、３、４、５、１１、１２、１３、１４、１５または１６に記載の発明。
【請求項３０】
前記第２のガイドが、前記係合要素に隣接する位置まで延びている請求項２、３、４、５、１１、１２、１３、１４、１５または１６に記載の発明。
【請求項３１】
前記第２のガイドが周辺を備え、前記係合要素が前記周辺まで動くことができる請求項５または１６に記載の発明。
【請求項３２】
前記作動要素が、前記第２のガイド内に枢動可能に取付けられている請求項２、３、４、５、１１、１２、１３、１４、１５または１６に記載の発明。
【請求項３３】
前記作動要素が前記第２のガイド内に枢動可能に取付けられ、前記係合要素が溝を規定し、さらに前記作動要素を前記係合要素に連結するように、前記作動要素の一部分が前記溝に受容されている請求項２、３、４、５、１３、１４、１５または１６に記載の発明。
【請求項３４】
前記係合要素を解放位置に付勢するように、前記係合要素に連結された付勢要素をさらに備える請求項３２に記載の発明。
【請求項３５】
前記係合要素を係合位置に付勢するように、前記係合要素に連結された付勢要素をさらに備える請求項３２に記載の発明。
【請求項３６】
前記作動要素が、前記駆動要素と接するように位置決めされた２つの離間ガイド面を有するカラーを備える請求項２または１３に記載の発明。
【請求項３７】
前記カラーの最大外径が、Ｄ２の１．８０倍以下である請求項１０に記載の発明。
【請求項３８】
前記カラーの最大外径が、Ｄ２の１．７５倍以下である請求項１０に記載の発明。
【請求項３９】
前記カラーの最大外径が、Ｄ２の１．６５倍以下である請求項９または１０に記載の発明。
【請求項４０】
前記カラーの最大外径が、Ｄ２の１．６０倍以下である請求項９または１０に記載の発明。
【請求項４１】
前記付勢要素の少なくとも一部分が、前記駆動要素内に延びている請求項１１に記載の発明。
【請求項４２】
前記作動要素が、カラーを備えている請求項１３、１４、１５、１６または１７に記載の発明。
【請求項４３】
前記カラーが、前記誘導要素および前記駆動要素に対して回転するように前記誘導要素に連結されている請求項４２に記載の発明。
【請求項４４】
前記カラーは、前記第１の部分から動いて離れると、前記誘導要素と連結してこれを前記第１の部分から動かして離す請求項４２に記載の発明。
【請求項４５】
前記カラーが前記誘導要素に連結され、前記カラーを前記第１の部分から動かして離すことなく、前記誘導要素は前記第１の部分から自在に動いて離れることができる請求項４４に記載の発明。
【請求項４６】
前記カラーが動いて前記第１の部分に向かうと前記係合要素が係合位置へ向けて押されるように、前記カラーが構成されている請求項４２に記載の発明。
【請求項４７】
前記第１のガイドが、前記長手方向軸線に対して少なくとも部分的に斜めに角度をもつように向けられている請求項１３、１４、１５、１６または１７に記載の発明。
【請求項４８】
前記係合要素が、前記工具アタッチメントと係合するように構成された第１の端と、前記誘導要素に連結された第２の端とを有する係合ピンを備える請求項１３、１４、１５、１６または１７に記載の発明。
【請求項４９】
前記第２のガイドが、前記長手方向軸線に実質的に平行な方向に沿って、前記誘導要素を誘導するように配向された請求項１３、１４、１５または１６に記載の発明。
【請求項５０】
前記機構が、前記係合要素と連結してこれに付勢し前記誘導要素と係合させる第１の付勢要素をさらに備える請求項１３、１４、１５または１６に記載の発明。
【請求項５１】
前記機構が、前記誘導要素と連結してこれに付勢し前記係合要素と係合させるとともに、前記誘導要素を、前記第１の付勢要素の付勢動作に対抗して、前記駆動要素の前記第１の部分に向けて動かすように機能する、第２の付勢要素をさらに備えている請求項５０に記載の発明。
【請求項５２】
前記機構が、前記誘導要素に連結された付勢要素をさらに備え、前記誘導要素に付勢して前記係合要素と係合させる請求項１３、１４、１５または１６に記載の発明。
【請求項５３】
前記誘導要素がカム面を備え、前記係合要素が、前記誘導要素が動くと前記カム面にわたり摺動するように位置決めされている請求項１４、１５、１６または１７に記載の発明。
【請求項５４】
前記カム面が、前記誘導要素が動くと前記駆動要素内で前記係合要素と接するように位置決めされている請求項５３に記載の発明。
【請求項５５】
前記カム面が、前記駆動要素内で互いに接するように位置決めされている請求項１３に記載の発明。
【請求項５６】
長手方向軸線を規定し、工具アタッチメントへの挿入用に構成された第１の部分および前記工具アタッチメントの外側に留まるように構成された第２の部分を備え、さらに、前記第１の部分と前記第２の部分との間に、前記長手方向軸線に対して斜めに角度をもって延びる第１のガイドと、前記第１のガイドと非平行に前記第１の部分内に延びる追加ガイドとを備える駆動要素と、
前記工具アタッチメントと前記駆動要素との間の係合力を変更する機構とを備え、該機構が、
前記第１のガイド内に可動式に取り付けられた第１の部品と、前記追加ガイド内に可動式に取り付けられた第２の部品とを備え、前記第２の部品が前記第１の部品から延出し、前記工具アタッチメントと係合する係合要素を備え、ここで前記第１および第２の部品は、前記第１のガイドに沿って前記第１の部品が動くと、前記第２の部品が前記追加ガイドに沿って動くように構成されており、該機構はまた、
前記第１の部品と連結した作動要素とを備える、工具アタッチメントを着脱自在に取り付ける工具。
【請求項５７】
前記作動要素が、前記駆動要素によって担持されている請求項５６に記載の発明。
【請求項５８】
前記第１および第２の部品が、それぞれの連結カム面を備える請求項５６に記載の発明。
【請求項５９】
前記追加ガイドが、前記長手方向軸線に対して実質的に横に配向されている請求項５６に記載の発明。
【請求項６０】
前記第２の部品が、円筒状部分を備える請求項５６に記載の発明。
【請求項６１】
前記第１のガイドおよび追加ガイドが、９０度未満の夾角を規定する請求項５６に記載の発明。
【請求項６２】
前記第１のガイドおよび追加ガイドが、９０度より大きい夾角を規定する請求項５６に記載の発明。
【請求項６３】
前記機構はさらに、前記第２の部品と連結してこれを前記第１の部品に向けて付勢する付勢要素を備える請求項５６に記載の発明。
【請求項６４】
前記第１の部品が、前記駆動要素の前記第１の部分内で前記第１のガイドから延出可能である請求項５６に記載の発明。
【請求項６５】
前記第１および第２の部品が、前記第１の部分の概して両側で、前記駆動要素から延出可能である請求項６４に記載の発明。
【請求項６６】
前記機構はさらに、前記第１の部品と連結してこれを前記第２の部品に向けて付勢する付勢要素をさらに備える請求項５６に記載の発明。
【請求項６７】
前記作動要素に対して摺動可能に取付けられ、前記第２のガイド内で前記作動要素が動くのを妨害する第１の位置と、前記第２のガイド内で前記作動要素が動くのを可能にする第２の位置との間で動くことができる固定具をさらに備える請求項３２に記載の発明。
【請求項６８】
前記固定具が、前記第１の位置にあるとき前記作動要素に隣接する前記係合要素の部分を覆う請求項６７に記載の発明。
【手続補正２】
【補正対象書類名】明細書
【補正対象項目名】００３６
【補正方法】変更
【補正の内容】
【００３６】
図５の機構も多部品係合要素を含み、図４および５の機構間に３つの主な相違がある。第１にこの実施形態の夾角１４０は９０°未満である。第２にこの実施形態において、第１の部品１４２には、第１の部品１４２が図５に示された係合位置にある場合に、駆動スタッド１０から外に延びるように位置決めされた端１４４が設けられている。この装置は工具アタッチメントを駆動スタッド１０の両側で係合する。一方側（図５に示すように左側）において第２の部品１４６は、工具アタッチメントの側壁内の相補形開口内へと動く。他方側（図５に示すように右側）において第１の部品１４２の端１４４は、工具アタッチメントを圧迫して、駆動スタッド１０を工具アタッチメント内に押し込む。第３にこの実施形態において、第２の部品１４６には付勢要素が設けられていない。この実施形態は、工具アタッチメントを解放するために作業者によって第２の部品１４６を駆動スタッド内に手動で（例えばピン等で）動かすことを必要とする用途用に設計されている。
【手続補正３】
【補正対象書類名】明細書
【補正対象項目名】００３８
【補正方法】変更
【補正の内容】
【００３８】
図６の実施形態は、図示のように配向されたカム面１６２を規定する第１の部品１６０、およびカム面１６２に沿って摺動するように位置決めされたカム面１６６を規定する第２の部品１６４を有する、他の多部品係合要素を図示する。この実施形態において、第１および第２の部品１６０、１６４用のガイド間の夾角１６８は９０°未満である。加えて図６の実施形態は、駆動要素４内に形成されたガイド１７２内で摺動する誘導要素１７０を含む。図１〜５と同様にこの実施形態のガイド１７２は、駆動要素４の本体内のミル成形スロットとして形成されている。図６に示すようにカラー１７２ａは、駆動要素４上で長手方向におよび回転式に動くように取付けられている。この例においてカラー１７２ａは、誘導要素１７０の外側部分を受容する環状凹部１７４を規定する。多数の代替例が可能であるが、この実施形態では誘導要素１７０と駆動要素４との間にばねは設けられていないとともに、この実施形態では誘導要素１７０とカラー１７２ａとの間で相対的長手方向に動くことはできない。
【手続補正４】
【補正対象書類名】明細書
【補正対象項目名】００３９
【補正方法】変更
【補正の内容】
【００３９】
力が加えられていなければ、ばね１７６はばね１７８を圧縮するとともに第２の部品１６４を図６に示す位置に付勢し、この位置において第２の部品１６４は駆動スタッド１０から突出して、工具アタッチメント（図示せず）を係合する。工具アタッチメントを解放するためには、カラー１７２ａを駆動スタッド１０に向かって工具に沿って長手方向に動かし、それによりばね１７６を圧縮するとともにカム面１６２を図６に示すように右側に動かす。これによりばね１７８は第２の部品１６４を図６に示すように右側に動かし、それにより工具アタッチメントを解放する。外力がカラー１７２ａから除去されると、ばね１７６はばね１７８を無効にして機構を図６に示す位置に戻す。
【手続補正５】
【補正対象書類名】明細書
【補正対象項目名】００４６
【補正方法】変更
【補正の内容】
【００４６】
図９は係合要素２４０に、概して円錐形のカム面２４２が設けられた他の実施形態を示す。カム面２４２に他の形状を用いることが可能であり、カム面２４２を係合要素２４０の丸いまたは湾曲端によって、または係合要素２４０の楔形状端によって形成することができる。代替的にはカム面２４２は、係合要素２４０と作動要素２４６との間の線接触を提供し得る。係合要素２４０は、付勢要素２４４によって図９に示すような解放位置に付勢されている。
【手続補正６】
【補正対象書類名】明細書
【補正対象項目名】００５１
【補正方法】変更
【補正の内容】
【００５１】
作動要素２８８の第１の端２９６が溝２８６内に受容され、作動要素２８８の第２の端２９８が駆動スタッド１０から離れるように延びている。第２の端２９８は、ユーザが第２の端２９８を図１０に示されるように左側に動かすことにより、係合要素２８０を動かしてばね２８４を圧縮することができるような形状に形成されている。このようにしてユーザは係合要素２８０を解放位置に動かして、工具アタッチメントを駆動スタッド１０から解放することができる。外部の力が作動要素２８８から除去されると、ばね２８４は係合要素２８０および作動要素２８８を付勢して図１０に示す位置に戻す。